(57)【特許請求の範囲】
【請求項１】
通信相手の携帯通信端末に割当てられた電話番号と電子メールの送信アドレスとを関連付けた通信先情報を取得する通信先情報取得手段と、
送受信した電子メールを記録媒体に格納する電子メール格納手段と、
発呼操作のために電話番号を受け付ける電話番号受付手段と、
前記記録媒体に格納された電子メールのうちから前記受け付けられた電話番号と前記通信先情報で関連付けられた前記送信アドレスを含む電子メールであって、当該電子メールに対する返信の電子メールが前記電子メール格納手段に記憶されていない電子メールを未返信電子メールとして抽出する発呼時電子メール抽出手段と、
発呼する際、前記発呼時電子メール抽出手段により未返信電子メールが抽出される場合のみ前記未返信電子メールの少なくとも一部をデータとして発呼先の携帯通信端末に送信する発呼制御手段と、
呼を検出する呼検出手段と、
呼が検出された際に着信を通知する着信通知手段と、
呼検出時に発呼側の携帯通信端末から、データを受信した場合、前記受信されたデータを表示するデータ表示制御手段と、を備えた携帯通信端末。
【請求項２】
前記発呼側の携帯通信端末から無線信号を受信することで前記データを得る請求項１に記載の携帯通信端末。
【請求項３】
前記無線信号は、前記発呼側の携帯通信端末の電話番号と前記データとを含む、請求項２に記載の携帯通信端末。
【請求項４】
前記未返信電子メールが送信メールならば前記未返信電子メールに対する返信の電子メールが受信されていない場合に、また、前記未返信電子メールが受信メールならば前記未返信電子メールに対する返信の電子メールが送信されていない場合に、前記未返信電子メールを抽出する、請求項１〜３のいずれかに記載の携帯通信端末。
【請求項５】
前記データは前記未送信電子メールのうちからユーザにより選択された少なくとも一部である、請求項１〜４のいずれかに記載の携帯通信端末。
【発明の詳細な説明】
【技術分野】
【０００１】
この発明は、携帯通信端末に関し、特に音声の送受信機能と電子データの送受信機能とを備えた携帯通信端末に関する。
【背景技術】
【０００２】
近年、情報を伝達する手段として、音声を送受信して通話する通話機能と、電子データを送受信するデータ送受信機能とがある。通話機能は電話網に接続された電話機で実現され、データ送受信機能はネットワークに接続されたコンピュータで実現される。特開平７−９９５０８号公報には、複数の端末装置と電子メールセンタとを有する電子メールシステムに、複数の電話機と電話交換機とを有する電話システムを連携した電子メールシステムであって、電話機はユーザとあらかじめ対応付けされており、電子メールセンタは、ユーザＩＤと電話番号の対応表記憶手段と、端末装置の使用ユーザを認識できる端末インターフェイスと、表示中のメールが判る状態変数を管理する状態変数管理表とを備えており、電話通信時に、電話交換機は電子メールセンタに発信と着信電話番号を通知し、電子メールセンタは対応表に従ってユーザＩＤを認識し、発信者と着信者の端末装置に関係する電子メールを送信し表示するように構成した電子メールシステムが記載されている。
【０００３】
しかしながら、特開平７−９９５０８号公報に記載の電子メールシステムは、電子メールセンタから電子メールを送信するタイミングを、電話の発信と同期させることはできるが、電子メールセンタに記憶されている電子メールであれば、電話の着信側のユーザに送信されてしまう。このため、電話の着信時に通話と関係ない電子メールまでもが表示されてしまう場合があるといった問題がある。また、電話の着信側において電子メールセンタから既に電子メールを受信している場合には、電話の着信時に電子メールセンタが既に送信してしまった電子メールは送信されないため、電話の着信側において通話に関連する電子メールが表示されない場合があるといった問題がある。
【特許文献１】特開平７−９９５０８号公報
【発明の概要】
【発明が解決しようとする課題】
【０００４】
この発明は上述した問題点を解決するためになされたもので、この発明の目的の一つは、通話の呼があったときに通話する前の段階で、通話の用件をユーザに知らせることが可能な携帯通信端末を提供することである。
【課題を解決するための手段】
【０００５】
上述した目的を達成するためにこの発明のある局面によれば、携帯通信端末は、通信相手の携帯通信端末に割当てられた電話番号と電子メールの送信アドレスとを関連付けた通信先情報を取得する通信先情報取得手段と、送受信した電子メールを記録媒体に格納する電子メール格納手段と、発呼操作のために電話番号を受け付ける電話番号受付手段と、記録媒体に格納された電子メールのうちから受け付けられた電話番号と通信先情報で関連付けられた送信アドレスを含む電子メールであって、当該電子メールに対する返信の電子メールが電子メール格納手段に記憶されていない電子メールを未返信電子メールとして抽出する発呼時電子メール抽出手段と、発呼する際、発呼時電子メール抽出手段により未返信電子メールが抽出される場合のみ未返信電子メールの少なくとも一部をデータとして発呼先の携帯通信端末に送信する発呼制御手段と、呼を検出する呼検出手段と、呼が検出された際に着信を通知する着信通知手段と、呼検出時に発呼側の携帯通信端末からデータを受信した場合、受信されたデータを表示するデータ表示制御手段と、を備える。
【０００６】
この局面に従えば、送受信したデータ電子メールが記録媒体に格納されており、発呼操作のために通信相手の携帯通信端末に割当てられた電話番号が受け付けられると、その電話番号と関連付けられた送信アドレスを含むデータ電子メールであって、当該電子メールに対する返信の電子メールが記憶されていない電子メールを未返信電子メールとして抽出し、発呼する際、未返信電子メールが抽出される場合のみ未返信電子メールの少なくとも一部をデータとして発呼先の携帯通信端末に送信する。このため、過去に送受信したデータ電子メールのうち返信電子メールが送受信されていない電子メールの少なくとも一部が発呼先の携帯通信端末に送信されるので、通信相手先に通話の要件を知らせることができる。また、通信相手の携帯通信端末では、呼検出時に発呼側の携帯通信端末から、データを受信した場合、受信されたデータを表示するので、発呼者と通話する前の段階で通話の用件を知ることができる。その結果、通話する前の段階で、通話の用件を通信相手に知らせることが可能な携帯通信端末を提供することができる。
【０００７】
好ましくは、発呼側の携帯通信端末から無線信号を受信することでデータを得る。
【０００８】
好ましくは、無線信号は、発呼側の携帯通信端末の電話番号と前記データとを含む。
【０００９】
好ましくは、未返信電子メールが送信メールならば未返信電子メールに対する返信の電子メールが受信されていない場合に、また、未返信電子メールが受信メールならば未返信電子メールに対する返信の電子メールが送信されていない場合に、未返信電子メールを抽出する。
【００１１】
好ましくは、データは未送信電子メールのうちからユーザにより選択された少なくとも一部である。
【図面の簡単な説明】
【００１２】
【図１】本発明の実施の形態の一つにおける携帯電話機の外観を示す斜視図である。
【図２】第１の実施の形態における携帯電話機のハード構成の一例を示すブロック図である。
【図３】第１の実施の形態における携帯電話機の制御部の機能の概要をフラッシュＲＯＭに記憶する情報とともに示す機能ブロック図である。
【図４】送信電子メールのフォーマットの一例を示す図である。
【図５】受信電子メールのフォーマットの一例を示す図である。
【図６】アドレスデータのフォーマットの一例を示す図である。
【図７】発信処理の流れの一例を示すフローチャートである。
【図８】問合せ画面の一例を示す図である。
【図９】発呼時電子メール検索処理の流れの一例を示す第１のフローチャートである。
【図１０】メッセージ選択処理の流れの一例を示すフローチャートである。
【図１１】選択画面の一例を示す図である。
【図１２】着信処理の流れの一例を示す第１のフローチャートである。
【図１３】着信画面の一例を示す第１の図である。
【図１４】発呼時電子メール検索処理の流れの一例を示す第２のフローチャートである。
【図１５】発呼時電子メール検索処理の流れの一例を示す第３のフローチャートである。
【図１６】第２の実施の形態における携帯電話機の制御部の機能の概要をフラッシュＲＯＭに記憶する情報とともに示す機能ブロック図である。
【図１７】着信処理の流れの一例を示す第２のフローチャートである。
【図１８】呼検出時電子メール抽出処理の流れの一例を示す第１のフローチャートである。
【図１９】着信画面の一例を示す第２の図である。
【図２０】呼検出時電子メール検索処理の流れの一例を示す第２のフローチャートである。
【発明を実施するための形態】
【００１３】
以下、本発明の実施の形態について図面を参照して説明する。以下の説明では同一の部品には同一の符号を付してある。それらの名称および機能も同じである。したがってそれらについての詳細な説明は繰返さない。
【００１４】
＜第１の実施の形態＞
図１は、本発明の実施の形態の一つにおける携帯電話の外観を示す斜視図である。図１は、オープンスタイルの状態にある携帯電話の外観を示す図である。図１を参照して、携帯電話機１は、操作側部３と、表示側部２とを含む。操作側部３は、テンキーおよび通話キー等を含む操作キー１４と、マイクロフォン（以下「マイク」という）１３とが内側面に配置される。表示側部２は、液晶表示装置（ＬＣＤ）１５と、レシーバを構成するスピーカ１１と、カメラ２４とが内側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００１５】
図２は、第１の実施の形態における携帯電話機のハード構成の一例を示すブロック図である。図２を参照して、携帯電話機１は、携帯電話機１の全体を制御するための制御部２１と、アンテナ２２Ａと接続された無線回路２２と、音声データを符号化または復号するためのコーデック部２３と、音声データを処理し音声を制御するための音声制御部２８と、カメラ２４と、ユーザの操作の入力を受付ける操作部２５と、着信を報知するための振動部２６と、ＬＣＤ１５の表示を制御するための表示制御部３０と、制御部２１で実行するプログラム等を記憶するためのフラッシュＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００１６】
無線回路２２は、制御部２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００１７】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、制御部２１に出力する。また、無線回路２２は、制御部２１から入力される電子メールを電子メールサーバに送信する。このため、制御部２１は、電子メールサーバとの間で送受信した電子メールをフラッシュＲＯＭ３１に記憶する。
【００１８】
操作部２５は、操作キー１４を含む。操作キー１４は、ユーザによる操作の入力を受け付け、受け付けた操作を制御部２１に出力する。
【００１９】
音声制御部２８は、マイク１３と接続され、マイク１３が集音して出力するアナログの音声信号が入力される。音声制御部２８は、マイク１３から入力される音声信号をコーデック部２３に出力する。また、音声制御部２８は、コーデック部２３から音声信号が入力され、コーデック部２３から入力された音声信号をスピーカ１１に出力する。
【００２０】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２１】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１で実行するための発信プログラムまたは着信プログラムをフラッシュＲＯＭ３１に記憶しておく例を説明するが、発信プログラムまたは着信プログラムをフラッシュメモリ２７Ａに記憶しておき、フラッシュメモリ２７Ａから発信プログラムまたは着信プログラムを読み出して、制御部２１で実行するようにしてもよい。発信プログラムまたは着信プログラムを記憶する記録媒体としては、フラッシュメモリ２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ、ＥＥＰＲＯＭなどの半導体メモリ等でもよい。また、制御部２１が、無線回路２２を介してインターネットに接続されたコンピュータから発信プログラムまたは着信プログラムをダウンロードし、その発信プログラムまたは着信プログラムを実行するようにしてもよい。ここでいうプログラムは、制御部２１により直接実行可能なプログラムだけでなく、ソースプログラム、圧縮処理されたプログラム、暗号化されたプログラム等を含む。
【００２２】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。制御部２１は、カメラ２４が出力する静止画データまたは動画データを表示制御部３０に出力し、ＬＣＤ１６に表示させる、または、圧縮符号化方式で静止画データまたは動画データを符号化して、フラッシュＲＯＭ３１またはカードＩ／Ｆ２７に装着されたフラッシュメモリ２７Ａに記憶する。
【００２３】
図３は、第１の実施の形態における携帯電話機の制御部の機能の概要をフラッシュＲＯＭに記憶する情報とともに示す機能ブロック図である。図３を参照して、制御部２１は、電子メール管理部６１と、電子メール送信部６３と、電子メール受信部６５とを含む。電子メール管理部６１は、ユーザが操作キー１４に入力する指示に基づいて電子メールを生成し、生成した電子メールを電子メール送信部６３に送信させるとともに、送信した電子メールに送信した日時を付加した送信電子メール８３としてフラッシュＲＯＭ３１に格納する。電子メール送信部６３は、電子メール管理部６１から電子メールが入力されると、無線回路２２を制御してその電子メールを無線基地局に送信する。
【００２４】
電子メール受信部６５は、無線回路２２を制御して、無線基地局から電子メールを受信する。そして、電子メール受信部６５は、受信した電子メールを電子メール管理部６１に出力する。電子メール管理部６１は、電子メール受信部６５から電子メールが入力されると、その電子メールにそれを受信した日時を付加した受信電子メール８５としてフラッシュＲＯＭ３１に格納する。
【００２５】
図４は、送信電子メールのフォーマットの一例を示す図である。図４を参照して、送信電子メール８３は、送信先電子メールアドレスと、コンテンツと、送信日時とを含む。送信先電子メールアドレスは、電子メールを送信した宛先の電子メールアドレスである。コンテンツは、電子メールのサブジェクトおよびボディである。送信日時は、電子メールを送信した日時である。
【００２６】
図５は、受信電子メールのフォーマットの一例を示す図である。図５を参照して、受信電子メール８５は、送信元電子メールアドレスと、コンテンツと、閲覧有無フラグと、返信有無フラグと、受信日時とを含む。送信元電子メールアドレスは、電子メールを送信してきた携帯電話機に割当てられた電子メールアドレスである。コンテンツは、電子メールのサブジェクトおよびボディである。閲覧有無フラグは、電子メールがＬＣＤ１５に表示されたか否かを示すフラグであり、ＬＣＤ１５に表示される前は閲覧無しに設定され、ＬＣＤ１５に表示された後に閲覧有りに設定される。返信有無フラグは、電子メールに対する返信のための電子メールが送信されたか否かを示すフラグであり、返信電子メールが送信される前に返信無しに設定され、返信電子メールが送信された後に返信有りに設定される。
【００２７】
図３に戻って、電子メール管理部６１は、さらに、送信電子メール８３または受信電子メール８５の表示を制御する。ユーザが操作キー１４に電子メールの閲覧指示を入力すると、電子メール管理部６１は、閲覧指示に従って送信電子メール８３または受信電子メール８５を読出し、ＬＣＤ１５に表示する。これにより、ユーザは、送信電子メール８３および受信電子メール８５のうちから所望のものを選択し、閲覧することができる。電子メール管理部６１は、受信電子メール８５をＬＣＤ１５に表示した場合、受信電子メール８５の閲覧有無フラグを閲覧有りに書き換える。さらに、電子メール管理部６１は、ユーザが操作キー１４に返信電子メールの生成指示を入力すると、電子メール管理部６１は、返信電子メールを生成するとともに、受信電子メール８５の返信有無フラグを返信有りに書き換える。生成され返信電子メールは、先に説明した電子メールを送信する場合と同様に、電子メール送信部６３により送信され、送信された日時を付加した送信電子メール８３としてフラッシュＲＯＭ３１に格納される。
【００２８】
ここでは、フラッシュＲＯＭ３１に送信電子メール８３および受信電子メール８５を記憶する例を説明するが、カードＩ／Ｆ２７に装着されたフラッシュメモリ２７Ａに、送信電子メール８３および受信電子メール８５の全部または一部を記憶するようにしてもよい。
【００２９】
フラッシュＲＯＭ３１は、アドレスデータ８１を予め記憶している。図６は、アドレスデータのフォーマットの一例を示す図である。図６を参照して、アドレスデータ８１は、ユーザ名と、電話番号と、電子メールアドレスとを関連付ける。ユーザ名は、通信相手を識別するためのユーザ識別情報である。電話番号は、ユーザ名の通信相手が携帯する携帯電話機に割当てられた電話番号である。電子メールアドレスは、ユーザ名の通信相手が携帯する携帯電話機に割当てられた電子メールアドレスである。
【００３０】
ここでは、フラッシュＲＯＭ３１にアドレスデータ８１を記憶する例を説明するが、カードＩ／Ｆ２７に装着されたフラッシュメモリ２７Ａがアドレスデータ８１を記憶する場合には、フラッシュメモリ２７Ａからアドレスデータ８１を読み出すようにしてもよい。また、携帯電話機１がカードＩ／Ｆ２７を複数備える場合、アドレスデータを記憶するフラッシュメモリ２７Ａとは別のフラッシュメモリ２７Ｂに送信電子メール８３および受信電子メール８５を記憶するようにしてもよい。この場合、携帯電話機１は、複数のカードＩ／Ｆ２７の一方に装着されたフラッシュメモリ２７Ａからそれに記憶されたアドレスデータ８１を読出し、複数のカードＩ／Ｆ２７の他方に装着されたフラッシュメモリ２７Ｂに送信電子メール８３および受信電子メール８５の全部または一部を記憶する。
【００３１】
図３に戻って、制御部２１は、電話番号を受け付ける電話番号受付部５１と、電話番号に関連する電子メールアドレスを抽出する発呼時電子メール抽出部５３と、電子メールの少なくとも一部を選択する選択部５５と、電話番号に発呼する発呼部５７とをさらに含む。電話番号受付部５１は、携帯電話機１のユーザ（発呼者）が、操作部２５の操作キー１４を押下することにより発呼のための電話番号を入力すると、操作部２５からそれに入力された電話番号を受け付け、受け付けた電話番号を発呼時電子メール抽出部５３に出力する。また、電話番号受付部５１は、アドレスデータ８１をＬＣＤ１５に表示するようにし、ユーザが表示されたアドレスデータ８１のうちからいずれかを選択する指示を操作部２５に入力すると、選択されたアドレスデータ８１に含まれる電話番号の指定を受け付けるようにしてもよい。
【００３２】
発呼時電子メール抽出部５３は、電話番号を含むアドレスデータ８１を取得する。ここでは、電話番号をキーにしてフラッシュＲＯＭ３１に記憶されたアドレスデータ８１を検索し、電話番号を含むアドレスデータ８１を読み出す。なお、アドレスデータ８１がカードＩ／Ｆ２７に装着されたフラッシュメモリ２７Ａに記憶されている場合には、フラッシュメモリ２７Ａから電話番号を含むアドレスデータ８１を取得する。そして、読み出したアドレスデータ８１で電話番号と関連付けられた電子メールアドレスを取得する。そして、発呼時電子メール抽出部５３は、取得した電子メールアドレスを含む送信電子メール８３または受信電子メール８５を抽出する。さらに、発呼時電子メール抽出部５３は、所定の条件の送信電子メール８３または受信電子メール８５を抽出する。所定の条件は、例えば次のものがある。
（１）  送信電子メール８３であって、その送信電子メール８３に対する返信電子メールを受信していない送信電子メール８３。返信電子メールを受信していなければ、発呼者が通話の用件とする可能性が高いからである。送信電子メール８３に対する返信電子メールを受信しているか否かの判断は、送信電子メール８３の送信日時より後の受信日時を含み、送信電子メール８３のコンテンツのサブジェクトと同じサブジェクトを含む受信電子メール８５が存在するか否かにより判断する。
（２）  現在時刻に最も近い時刻の送信日時を含む送信電子メール８３であって、その送信電子メール８３に対する返信電子メールを受信していない送信電子メール８３。返信電子メールを受信していない送信電子メール８３が複数ある場合に、それらのうちで発呼者が通話の用件とする可能性が高いものを特定することができる。
（３）  受信電子メール８５であって、その受信電子メール８５に対応する返信電子メールを送信していない受信電子メール８５。受信電子メール８５に対する返信電子メールを送信する代わりに、通話のために発呼する可能性が高いからである。
【００３３】
発呼時電子メール抽出部５３は、抽出した送信電子メール８３または受信電子メール８５を、選択部５５に出力する。選択部５５は、抽出された送信電子メール８３または受信電子メール８５のコンテンツの一部または全部の選択の指定を受け付ける。ユーザが、操作キー１４にコンテンツの一部を選択する指定、または全部を選択する指定を入力すると、選択部５５は、操作キー１４に入力された指定を受け付け、その指定に従って送信電子メール８３または受信電子メール８５のコンテンツの一部または全部を選択する。以下、選択部５５が選択した送信電子メール８３または受信電子メール８５のコンテンツの一部または全部を選択部分という。選択部５５は、選択部分を発呼時電子メール抽出部５３に出力し、発呼時電子メール抽出部５３は、選択部分を発呼部５７に出力する。なお、選択部５５がユーザの操作（指示）に従って選択部分を選択するようにしたが、ユーザが操作（指示）をその都度しなくても選択部５５が送信電子メール８３または受信電子メール８５のコンテンツの全部または一部を自動的に選択するようにしてもよい。
【００３４】
発呼部５７は、制御信号生成部５９を含む。制御信号生成部５９は、発呼のために無線基地局に送信するための制御信号を生成する。制御信号生成部５９は、電話番号受付部５１で受け付けられた電話番号と、選択部５５から入力される選択部分とを少なくとも含む制御信号を生成する。電話番号と選択部分とは、制御信号の予め定められた位置に配置される。発呼部５７は、無線回路２２に制御信号を出力する。発呼部５７は、無線回路２２を制御して、制御信号生成部５９により生成された制御信号を無線基地局に送信させることにより、発呼する。
【００３５】
制御部２１は、呼を検出するための呼検出部７７と、ユーザに着信を通知するための着信通知部７１とを含む。呼検出部７７と、着信通知部７１とは、別の携帯電話機が、携帯電話機１に発呼した場合に機能する。ここでは、携帯電話機１と同様の機能を有する携帯電話機Ａが携帯電話機１に発呼した場合について説明する。
【００３６】
呼検出部７７は、無線回路２２を制御して、無線基地局から制御信号を受信する。この制御信号は、携帯電話機Ａが送信した制御信号に含まれる電話番号と選択部分とを含み、その電話番号が接続先の電話番号を示す位置に配置され、選択部分がメッセージを示す位置に配置される。呼検出部７７は、受信した制御信号の接続先の電話番号を示す位置に、自装置に割当てられた電話番号を含む場合、呼を検出する。呼検出部７７は、呼を検出した場合、受信した制御信号を着信通知部７１に出力する。
【００３７】
着信通知部７１は、呼検出部７７が呼を検出すると、ユーザに着信を通知する。具体的には、スピーカ１１から着信音を出力する。これにより、ユーザに音で着信を通知する。また、音による通知に代えて、またはそれに加えて、振動部２６を振動させる。これにより、ユーザに振動で着信を通知する。
【００３８】
さらに、着信通知部７１は、メッセージ抽出部７３と、メッセージ表示部７５とを含む。メッセージ抽出部７３は、呼検出部７７から入力される制御信号のメッセージが配置される位置からメッセージを抽出し、抽出したメッセージをメッセージ表示部７５に出力する。メッセージ表示部７５は、表示制御部３０を制御して、入力されるメッセージをＬＣＤ１５に表示させる。これにより、携帯電話機１のユーザは、携帯電話機Ａのユーザが選択した選択部分を読むことができ、着信に応答する前に、通話の用件を知ることができる。
【００３９】
図７は、発信処理の流れの一例を示すフローチャートである。発信処理は、制御部２１がフラッシュＲＯＭ３１に記憶された発信プログラムを実行することにより、制御部２１により実行される処理である。図７を参照して、制御部２１は、電話番号を受け付けるまで待機状態となり（ステップＳ０１でＮＯ）、電話番号を受け付けると処理をステップＳ０２に進める。すなわち、発信処理は、電話番号を受け付けることを条件に実行される処理である。電話番号が受け付けられる場合は、携帯電話機１のユーザ（発呼者）が、携帯電話機１に発呼のための電話番号を入力する場合、または、アドレスデータ８１、発信履歴または着信履歴など携帯電話機１に予め記憶された電話番号のうちから１つを選択する場合を含む。
【００４０】
ステップＳ０２においては、発呼時電子メール検索処理を実行する。発呼時電子メール検索処理については、その詳細は後述するが、受け付けた電話番号に関連する対象電子メールを抽出する処理である。発呼時電子メール検索処理を実行することによって、対象電子メールが抽出できたか否かを判断する（ステップＳ０３）。対象電子メールを抽出できたならば処理をステップＳ０４に進め、そうでなければ処理をステップＳ０８に進める。
【００４１】
ステップＳ０４においては、ＬＣＤ１５に問合せ画面を表示する。問合せ画面は、発呼と同時にメッセージを送信するか否かをユーザに問い合わせ、ユーザの指示を受け付けるための画面である。図８は、問合せ画面の一例を示す図である。図８を参照して、問合せ画面は、「先ほど○○さんに送信した電子メールをメッセージとして利用して相手の着信画面に表示させますか？」のメッセージを含む。「○○さん」は、図７のステップＳ０１で受け付けた電話番号と、アドレスデータ８１で関連付けられたユーザ名が表示される。ユーザが、操作キー１４の決定キーを押下すれば、メッセージを送信する指示が制御部２１で受け付けられ、操作キー１４の取り消しキーを押下すれば、メッセージを送信しない指示が制御部２１で受け付けられる。
【００４２】
図７に戻って、ステップＳ０５においては、メッセージを送信する指示を受け付けたか否かを判断し、メッセージを送信する指示を受け付けたならば処理をステップＳ０６に進め、そうでなければ処理をステップＳ０８に進める。ステップＳ０６においては、メッセージ選択処理を実行する。メッセージ選択処理については詳細を後述するが、ステップＳ０２における発呼時電子メール検索処理により抽出された対象電子メールのうちからメッセージとして送信する選択部分を選択する処理である。ステップＳ０７においては、メッセージとして送信する選択部分が選択されたか否かを判断し、選択されるまでステップＳ０６を繰り返し、選択されたならば処理をステップＳ０８に進める。
【００４３】
ステップＳ０８においては、制御信号を生成する。制御信号は、発呼のために無線基地局に送信するための信号である。処理をステップＳ０３またはステップＳ０５からステップＳ０８に進める場合と、処理をステップＳ０７からステップＳ０８に進める場合とで、生成される制御信号が異なる。処理をステップＳ０７からステップＳ０８に進める場合、ステップＳ０８においては、ステップＳ０１で受け付けられた電話番号と、ステップＳ０６で選択された選択部分とを含む制御信号を生成する。電話番号と選択部分とは、制御信号の予め定められた位置に配置される。一方、処理をステップＳ０３またはステップＳ０５からステップＳ０８に進める場合、ステップＳ０８においては、ステップＳ０１で受け付けられた電話番号を含み、選択部分を配置するための位置には何も配置しない制御信号を生成する。
【００４４】
ステップＳ０９においては、制御信号を無線基地局に送信することにより、発呼する。具体的には、制御信号を無線回路２２に出力し、無線回路２２に発呼させる。そして、応答を受け付けたか否かを判断する（ステップＳ１０）。無線回路２２が無線基地局から応答を示す制御信号を受信した場合に、制御部２１は応答を受け付ける。応答を受け付けたならば処理をステップＳ１１に進めるが、応答を受け付けなければ処理をステップＳ１３に進める。ステップＳ１１においては、回線を接続して通話を可能な状態にする。そして、通話が終了したか否かを判断する（ステップＳ１２）。通話の終了は、回線が切断された場合、または、通話を終了させるためのキーとして操作キー１４に割当てられた通話終了キーがユーザにより押下された場合のいずれかである。通話が終了するまでステップＳ１１を繰り返し、通話が終了したならば処理を終了する。
【００４５】
ステップＳ１３においては、発呼を停止させるための指示を受け付けたか否かを判断する。発呼を停止させるためのキーとして操作キー１４に割当てられた発呼停止キーがユーザにより押下された場合、処理をステップＳ１４に進めるが、そうでなければ処理をステップＳ１０に戻し、発呼を継続する。ステップＳ１４においては、発呼動作を停止し、処理を終了する。
【００４６】
図９は、発呼時電子メール検索処理の流れの一例を示す第１のフローチャートである。発呼時電子メール検索処理は、図７のステップＳ０２において実行される処理である。図９を参照して、制御部２１は、図７のステップＳ０１で受け付けた電話番号を含むアドレスデータを取得する（ステップＳ２１Ａ）。具体的には、図７のステップＳ０１で受け付けた電話番号を含むアドレスデータをフラッシュＲＯＭ３１に記憶されたアドレスデータ８１のうちから抽出し、そのアドレスデータを読み出す。そして、読み出したアドレスデータ８１で電話番号と関連付けられた電子メールアドレスを取得する（ステップＳ２１）。そして、取得した電子メールアドレスを含む送信電子メール８３を抽出する（ステップＳ２２）。さらに、抽出の結果を判断し（ステップＳ２３）、取得した電子メールアドレスを含む送信電子メール８３が抽出できたならば（ステップＳ２３でＹＥＳ）、処理をステップＳ２４に進めるが、そうでなければ（ステップＳ２３でＮＯ）、処理をステプＳ２８に進める。
【００４７】
ステップＳ２４においては、抽出された送信電子メール８３のうちから処理対象とする送信電子メール８３を決定し、処理対象の送信電子メール８３が所定時間内に送信したものか否かを判断する。処理対象の送信電子メール８３の送信日時と現在時刻とから判断する。処理対象の送信電子メール８３が所定時間内に送信したものであれば処理をステップＳ２５に進めるが、そうでなければ処理をステップＳ２７に進める。
【００４８】
ステップＳ２５においては、処理対象の送信電子メール８３に対する返信電子メールを受信しているか否かを判断する。返信電子メールを受信していなければ、発呼者が通話の用件とする可能性が高いからである。送信電子メール８３の送信日時より後の受信日時を含み、送信電子メール８３のコンテンツのサブジェクトと同じサブジェクトを含む受信電子メール８５が存在するか否かにより、返信電子メールを受信しているか否かを判断する。処理対象の送信電子メール８３に対する返信電子メールを受信していなければ処理をステップＳ２６に進め、返信電子メールを受信していれば処理をステップＳ２７に進める。ステップＳ２６においては、処理対象の送信電子メール８３を対象電子メールに決定する。
【００４９】
ステップＳ２７においては、ステップＳ２２において抽出された送信電子メール８３のうちに、未だ処理対象としていないものが存在するか否かを判断する。未処理の送信電子メール８３が存在すれば、その送信電子メール８３を処理対象に設定し、処理をステップＳ２４に戻すが、そうでなければ処理をステップＳ２８に進める。ステップＳ２８においては、対象電子メールに設定された送信電子メール８３が存在するか否かを判断する。対象電子メールに設定された送信電子メール８３が存在すれば処理をステップＳ２９に進め、そうでなければ処理をステップＳ３０に進める。ステップＳ２９においては、返り値に対象電子メールありを設定し、処理を発信処理に戻す。ステップＳ３０においては、返り値に対象電子メールなしを設定し、処理を発信処理に戻す。
【００５０】
この発信時電子メール検索処理を実行することにより、所定時間内に送信した送信電子メール８３であって、その送信電子メール８３に対する返信電子メールを受信していない送信電子メール８３が対象電子メールとして抽出される。携帯電話機１のユーザが、送信電子メール８３に対する回答を用件とする通話のために発呼する場合があり、携帯電話機１のユーザが通話の用件に関連する可能性の高い送信電子メール８３を抽出することができる。なお、ここでは、所定時間内に送信した送信電子メール８３であって、その送信電子メール８３に対する返信電子メールを受信していない送信電子メール８３を抽出するようにしたが、ステップＳ２４を実行することなく、送信電子メール８３に対する返信電子メールを受信していない送信電子メール８３を抽出するようにしてもよい。また、対象電子メールとして１件のみを抽出するようにしてもよい。たとえば、所定時間内に送信した送信電子メール８３であって、その送信電子メール８３に対する返信電子メールを受信していない送信電子メール８３が複数存在する場合、所定の条件、たとえば送信日時が最も新しい条件を満たす１件の送信電子メール８３を抽出する。
【００５１】
図１０は、メッセージ選択処理の流れの一例を示すフローチャートである。メッセージ選択処理は、図７のステップＳ０６において実行される処理である。図１０を参照して、制御部２１は、対象電子メールを読み出す（ステップＳ４１）。ここでは、対象電子メールに設定されている送信電子メール８３を読み出す。対象電子メールに設定されている送信電子メール８３が複数ある場合には、それらすべてを読み出す。次に、送信電子メールのコンテンツを含み、それらの少なくとも一部を選択可能な選択画面をＬＣＤ１５に表示する（ステップＳ４２）。選択可能に表示するのは、ユーザの意思で選択部分を選択することを可能とするためである。コンテンツは、電子メールのサブジェクトとボディとを含む。送信電子メール８３が複数ある場合には、すべての送信電子メール８３それぞれのコンテンツを表示する。
【００５２】
図１１は、選択画面の一例を示す図である。図１１を参照して、選択画面は、サブジェクト（タイトル）と、ボディ（本文）とを選択可能に表示する領域を含む。ユーザが表示されたサブジェクト（タイトル）およびボディ（本文）の一部または全部を指定すると、指定された選択部分が選択され、その選択部分が反転表示される。これにより、ユーザは、選択部分が指定されたことを確認することができる。図１１においては、サブジェクトの「今からいくね」が選択部分として指定された例を示している。
【００５３】
図１０に戻って、ステップＳ４３においては、選択部分を受け付けたか否かを判断する。選択部分の受け付けは、コンテンツのすべての選択を含む。１つの送信電子メール８３が対象電子メールとして設定されている場合に、その送信電子メール８３のコンテンツの全部を選択部分として指定することが可能である。ステップＳ４４においては、ユーザにより指定された選択部分をメッセージに決定し、処理を発信処理に戻す。
【００５４】
図１２は、着信処理の流れの一例を示す第１のフローチャートである。着信処理は、制御部２１がフラッシュＲＯＭ３１に記憶された着信プログラムを実行することにより、制御部２１により実行される処理である。図１２を参照して、制御部２１は、呼を検出したか否かを判断する（ステップＳ５１）。呼を検出するまで待機状態となり（ステップＳ５１でＮＯ）、呼を検出すると処理をステップＳ５２に進める。すなわち、着信処理は、呼を検出することを条件に実行される処理である。
【００５５】
ステップＳ５２においては、発呼側の電話番号を検出する。具体的には、無線基地局から受信した制御信号の発呼側の電話番号が配置されている位置から電話番号を読み出す。そして、検出した発呼側の電話番号をＬＣＤ１５に表示する（ステップＳ５３）。さらに、無線基地局から受信した制御信号からメッセージを抽出する（ステップＳ５４）。具体的には、制御信号のメッセージが配置される位置からメッセージを抽出する。そして、メッセージが存在するか否かを判断する（ステップＳ５５）。制御信号からメッセージを抽出できたならば処理をステップＳ５６に進めるが、メッセージを抽出できなければステップＳ５６をスキップして処理をステップＳ５７に進める。
【００５６】
ステップＳ５６においては、制御信号から抽出したメッセージを表示するための着信画面をＬＣＤ１５に表示する。図１３は、着信画面の一例を示す第１の図である。図１３を参照して、着信画面は、「○○△△子から着信中」の発呼側情報を含む。発呼側情報の「○○△△」には、図１２のステップＳ５２で受け付けた電話番号とアドレスデータ８１で関連付けられたユーザ名が表示される。また、着信画面は、「今からいくね」の着信メッセージを含む。このため、携帯電話機１のユーザは、着信画面を見れば、発呼側の「○○△△子」からの着信であり、かつ、電話の用件が「今から行くね」であることを、通話前に知ることができる。
【００５７】
図１２に戻って、ステップＳ５７においては、着信音を発生させる。そして、応答指示を受け付けたか否かを判断する（ステップＳ５８）。ユーザが操作キー１４の通話ボタンを押下する操作を検出したならば処理をステップＳ５９に進め、検出しなければ処理をステップＳ６０に進める。ステップＳ５９においては、着呼に応答する。これにより、発呼側の携帯電話機との間で電話による通話が可能となる。そして、通話が終了したか否かを判断する（ステップＳ６２）。通話の終了は、回線が切断された場合、または、通話を終了させるためのキーとして操作キー１４に割当てられた通話終了キーがユーザにより押下された場合のいずれかである。通話が終了するまでステップＳ５９を繰り返し、通話が終了したならば処理を終了する。
【００５８】
ステップＳ６１においては、呼が終了したか否かを判断し、呼が終了したならば処理をステップＳ６２に進め、着呼が終了していなければ処理をステップＳ５８に戻す。ステップＳ６２では、ステップＳ５７で開始した着信音の発生を終了して、処理を終了する。
【００５９】
＜発呼時電子メール検索処理の第１の変形例＞
図１４は、発呼時電子メール検索処理の流れの一例を示す第２のフローチャートである。図９に示した発呼時電子メール検索処理と異なる点は、ステップＳ２４〜ステップＳ２７に代えて、ステップＳ２４Ａ〜ステップＳ２６Ａが実行される点である。他の処理は同じなので、ここでは異なる処理を説明する。図１４を参照して、ステップＳ２４Ａにおいては、抽出された送信電子メールが複数か否かを判断する。複数であれば処理をステップＳ２５Ａに進め、単数であれば処理をステップＳ２６Ａに進める。ステップＳ２５Ａにおいては、ステップＳ２２において抽出された複数の送信電子メール８３のうち送信日時が最新の送信電子メール８３を対象電子メールに決定し、処理をステップＳ２８に進める。また、ステップＳ２６Ａにおいては、ステップＳ２２において抽出された単一の送信電子メール８３を対象電子メールに決定し、処理をステップＳ２８に進める。
【００６０】
第１の変形例における発呼時電子メール検索処理では、最新の送信電子メール８３を対象電子メールに決定する。電子メールを送信した後に、その電子メールのコンテンツに記載した用件と同じ用件で電話する場合があり、携帯電話機１のユーザが通話の用件とする可能性の高い送信電子メール８３を抽出することができる。
【００６１】
＜発呼時電子メール検索処理の第２の変形例＞
図１５は、発呼時電子メール検索処理の流れの一例を示す第３のフローチャートである。図１５を参照して、制御部２１は、図７のステップＳ０１で受け付けた電話番号を含むアドレスデータを取得する（ステップＳ３１Ａ）。具体的には、図７のステップＳ０１で受け付けた電話番号を含むアドレスデータをフラッシュＲＯＭ３１に記憶されたアドレスデータ８１のうちから抽出し、そのアドレスデータを読み出す。そして、読み出したアドレスデータ８１で電話番号関連付けられた電子メールアドレスを取得する（ステップＳ３１）。そして、取得した電子メールアドレスを含む受信電子メール８５を抽出する（ステップＳ３２）。抽出の結果を判断し（ステップＳ３３）、取得した電子メールアドレスを含む受信電子メール８５が抽出できたならば（ステップＳ３３でＹＥＳ）、処理をステップＳ３４に進めるが、そうでなければ（ステップＳ３３でＮＯ）、処理をステプＳ３７に進める。
【００６２】
ステップＳ３４においては、抽出された受信電子メール８５のうちから処理対象とする受信電子メール８５を決定し、処理対象の受信電子メール８５に対する返信電子メールを送信しているか否かを判断する。返信電子メールを送信していなければ、発呼者が返信電子メールを送信する代わりに電話する場合があるからである。受信電子メール８５の受信日時より後の送信日時を含み、受信電子メール８５のコンテンツのサブジェクトと同じサブジェクトを含む送信電子メール８３が存在するか否かにより、返信電子メールを送信しているか否かを判断する。処理対象の受信電子メール８５に対する返信電子メールを送信していなければ処理をステップＳ３５に進め、返信電子メールを送信していれば処理をステップＳ３７に進める。ステップＳ３５においては、処理対象の受信電子メール８５を対象電子メールに決定する。
【００６３】
ステップＳ３６においては、ステップＳ２２において抽出された受信電子メール８５のうちに、未だ処理対象としていないものが存在するか否かを判断する。未処理の受信電子メール８５が存在すれば、その受信電子メール８５を処理対象に設定し、処理をステップＳ３４に戻すが、そうでなければ処理をステップＳ３７に進める。ステップＳ３７においては、対象電子メールに設定された受信電子メール８５が存在するか否かを判断する。対象電子メールに設定された受信電子メール８５が存在すれば処理をステップＳ３８に進め、そうでなければ処理をステップＳ３９に進める。ステップＳ３８においては、返り値に対象電子メールありを設定し、処理を発信処理に戻す。ステップＳ３９においては、返り値に対象電子メールなしを設定し、処理を発信処理に戻す。
【００６４】
この第２の変形例における発信時電子メール検索処理を実行することにより、受信電子メール８５であって、その受信電子メール８５に対する返信電子メールを送信していない送信電子メール８３が対象電子メールとして抽出される。受信電子メール８５に対する返信電子メールを送信する代わりに、電話する場合があり、携帯電話機１のユーザが通話の用件とする可能性の高い受信電子メール８５を抽出することができる。
【００６５】
以上説明したように、第１の実施の形態における携帯電話機１は、発呼操作のために通信相手の携帯電話機に割当てられた電話番号が受け付けられると、その電話番号と関連付けられた電子メールアドレスを含む送信電子メール８３または受信電子メール８５が抽出され、抽出されたデータの少なくとも一部が、通信相手の携帯電話機に送信される。このため、過去に送受信した電子メールの一部を送信することができるので、発呼とともに送信するメッセージを初めから入力する必要がなく、メッセージを容易に設定することができる。また、通信相手の携帯電話機では、メッセージが受信され、そのメッセージが表示されるので、通信相手は通話する前の段階で通話の用件を知ることができる。このため、通話する前の段階で、通話の用件を通信相手に知らせることができる。
【００６６】
＜第２の実施の形態＞
第２の実施の形態における携帯電話機１Ａは、第１の実施の形態における携帯電話機１と外観およびハード構成は同じである。ここでは、携帯電話機１Ａと同様の機能を有する携帯電話機Ｂが携帯電話機１Ａに発呼した場合について説明する。
【００６７】
図１６は、第２の実施の形態における携帯電話機の制御部の機能の概要をフラッシュＲＯＭに記憶する情報とともに示す機能ブロック図である。図１６を参照して、制御部２１Ａは、呼検出部７７と、発呼側電話番号検出部９１と、呼検出時電子メール抽出部９２と、着信通知部７１Ａと、電子メール管理部６１と、電子メール送信部６３と、電子メール受信部６５とを含む。呼検出部７７と、電子メール管理部６１と、電子メール送信部６３と、電子メール受信部６５とは、上述したのでここでは説明を繰り返さない。
【００６８】
呼検出部７７が受信した制御信号は、発呼側の携帯電話機Ｂに割当てられた電話番号を含み、その電話番号が発呼側の電話番号を示す位置に配置される。発呼側電話番号検出部９１は、呼検出部７７が受信した制御信号の発呼側の電話番号を示す位置から電話番号を抽出する。発呼側の電話番号を抽出したならば、その電話番号を呼検出時電子メール抽出部９２に出力する。また、発呼側電話番号検出部９１は、抽出した発呼側の電話番号を含むアドレスデータ８１を取得する。ここでは、発呼側の電話番号をキーにしてフラッシュＲＯＭ３１に記憶されたアドレスデータ８１を検索し、電話番号を含むアドレスデータ８１を読み出す。なお、アドレスデータ８１がカードＩ／Ｆ２７に装着されたフラッシュメモリ２７Ａに記憶されている場合には、抽出した発呼側の電話番号を含むアドレスデータ８１をフラッシュメモリ２７Ａから取得する。そして、読み出したアドレスデータ８１で電話番号と関連付けられた電子メールアドレスを取得し、取得した電子メールアドレスを呼検出時電子メール抽出部に出力する。呼検出時電子メール抽出部９２は、入力される電子メールアドレスを含む送信電子メール８３または受信電子メール８５を抽出する。さらに、呼検出時電子メール抽出部９２は、所定の条件の送信電子メール８３または受信電子メール８５を抽出する。所定の条件は、例えば次のものがある。
（１）  未だ表示されていない受信電子メール８５。未だ表示されていない受信電子メール８５を表示させることにより、その受信電子メール８５に含まれるコンテンツを携帯電話機１Ａのユーザに伝えることができる。発呼側の携帯電話機Ｂのユーザが、先に送信した電子メールに関連する用件で通話してきた可能性が高いからである。
（２）  受信電子メール８５であって、その受信電子メール８５に対する返信電子メールを送信していない受信電子メール８５。返信電子メールを受信していなければ、発呼側のユーザ、換言すれば受信電子メール８５の送信者が、その受信電子メール８５の回答を要求する用件で発呼する場合がある。このため、受信電子メール８５に対応する回答の要求を用件とする通話であることを、通信相手に知らせることができる。受信電子メール８５に対する返信電子メールを送信しているか否かの判断は、受信電子メール８５の受信日時より後の送信日時を含み、受信電子メール８５のコンテンツのサブジェクトと同じサブジェクトを含む送信電子メール８３が存在するか否かにより判断する。
（３）  現在時刻に最も近い時刻に受信した受信電子メール８５であって、その受信電子メール８５に対する返信電子メールを送信していない受信電子メール８５。
（４）  送信電子メール８３であって、その送信電子メール８３に対する返信電子メールを受信していない送信電子メール８３。返信電子メールを受信していなければ、発呼側のユーザ、換言すれば送信電子メール８３の受信者が、送信電子メール８３の回答を通話の用件とする場合がある。このため、送信電子メール８３に対する回答を用件とする通話であることを、ユーザに知らせることができる。送信電子メール８３に対する返信電子メールを受信しているか否かの判断は、送信電子メール８３の送信日時より後の受信日時を含み、送信電子メール８３のコンテンツのサブジェクトと同じサブジェクトを含む受信電子メール８５が存在するか否かにより判断する。
【００６９】
呼検出時電子メール抽出部９２は、抽出した送信電子メール８３または受信電子メール８５を着信通知部７１に出力する。
【００７０】
着信通知部７１は、呼検出部７７が呼を検出すると、ユーザに着信を通知する。具体的には、スピーカ１１から着信音を出力する。これにより、ユーザに音で着信を通知する。また、音による通知に代えて、またはそれに加えて、振動部２６を振動させる。これにより、ユーザに振動で着信を通知する。さらに、着信通知部７１は、電子メール表示部９３を含む。電子メール表示部９３は、表示制御部３０を制御して、呼検出時電子メール抽出部９２から入力される送信電子メール８３または受信電子メール８５をＬＣＤ１５に表示させる。電子メール表示部９３は、送信電子メール８３または受信電子メール８５のコンテンツの全部を表示してもよいし、またはコンテンツの一部、例えば、サブジェクトのみ、本文のみ、本文の前半部分等を表示するようにしてもよい。これにより、携帯電話機１Ａのユーザは、携帯電話機Ｂのユーザが先に送信した受信電子メール８５、または、携帯電話機１Ａのユーザが携帯電話機Ｂに先に送信した送信電子メール８３を読むことができ、着信に応答する前に通話の用件を知ることができる。
【００７１】
図１７は、着信処理の流れの一例を示す第２のフローチャートである。この着信処理は、制御部２１ＡがフラッシュＲＯＭ３１に記憶された着信プログラムを実行することにより、制御部２１Ａにより実行される処理である。図１７を参照して、制御部２１Ａは、呼を検出したか否かを判断する（ステップＳ７１）。呼を検出するまで待機状態となり（ステップＳ７１でＮＯ）、呼を検出すると処理をステップＳ７２に進める。すなわち、着信処理は、呼を検出することを条件に実行される処理である。
【００７２】
ステップＳ７２においては、発呼側の電話番号を検出する。具体的には、無線基地局から受信した制御信号の発呼側の電話番号が配置されている位置から電話番号を読み出す。そして、検出した発呼側の電話番号をＬＣＤ１５に表示する（ステップＳ７３）。ステップＳ７４においては、呼検出時電子メール検索処理を実行する。呼検出時電子メール検索処理については、その詳細は後述するが、発呼者側の電話番号に関連する対象電子メールを抽出する処理である。そして、呼検出時電子メール検索処理を実行することによって、対象電子メールが抽出できたか否かを判断する（ステップＳ７５）。対象電子メールを抽出できたならば処理をステップＳ７６に進め、そうでなければステップＳ７６をスキップして処理をステップＳ７７に進める。ステップＳ７６においては、対象電子メールに設定された受信電子メール８５のコンテンツを含む着信画面をＬＣＤ１５に表示する。コンテンツは、電子メールのサブジェクトとボディとを含む。対象電子メールに設定された受信電子メール８５が複数ある場合には、すべての受信電子メール８５それぞれのコンテンツを表示する。
【００７３】
ステップＳ７７〜ステップＳ８２の処理は、図１２のステップＳ５７〜ステップＳ６２の処理とそれぞれ同じなのでここでは説明を繰り返さない。
【００７４】
図１８は、呼検出時電子メール抽出処理の流れの一例を示す第１のフローチャートである。発呼時電子メール検索処理は、図１７のステップＳ７４において実行される処理である。図１８を参照して、制御部２１Ａは、図１７のステップＳ７２で検出した発呼側の電話番号を含むアドレスデータを取得する（ステップＳ９１Ａ）。具体的には、図１７のステップＳ７２で受け付けた電話番号を含むアドレスデータをフラッシュＲＯＭ３１に記憶されたアドレスデータ８１のうちから抽出し、そのアドレスデータ８１を読み出す。そして、読み出したアドレスデータ８１で電話番号と関連付けられた電子メールアドレスを取得する（ステップＳ９１）。そして、取得した電子メールアドレスを含む受信電子メール８５を抽出する（ステップＳ９２）。抽出の結果を判断し（ステップＳ９３）、取得した電子メールアドレスを含む受信電子メール８５が抽出できたならば（ステップＳ９３でＹＥＳ）、処理をステップＳ９４に進めるが、そうでなければ（ステップＳ９３でＮＯ）処理をステップＳ９８に進める。
【００７５】
ステップＳ９４においては、抽出された受信電子メール８５のうちから処理対象とする受信電子メール８５を決定し、処理対象の受信電子メール８５が所定時間内に受信したものか否かを判断する。処理対象の受信電子メール８５の受信日時と現在時刻とから判断する。処理対象の受信電子メール８５が所定時間内に受信したものであれば処理をステップＳ９５に進めるが、そうでなければ処理をステップＳ９７に進める。
【００７６】
ステップＳ９５においては、処理対象の受信電子メール８５が閲覧済みか否かを判断する。閲覧有無フラグが閲覧有りに設定されていれば閲覧済みと判断する。処理対象の受信電子メール８５が閲覧済みでなければ処理をステップＳ９６に進め、閲覧済みならばステップＳ９６をスキップして処理をステップＳ９７に進める。ステップＳ９６においては、処理対象の受信電子メール８５を対象電子メールに決定する。
【００７７】
ステップＳ９７においては、ステップＳ９２において抽出された受信電子メール８５のうちに未だ処理対象としていないものが存在するか否かを判断する。未処理の受信電子メール８５が存在すれば、その受信電子メール８５を処理対象に設定し、処理をステップＳ９４に戻すが、そうでなければ処理をステップＳ９８に進める。
【００７８】
ステップＳ９８においては、対象電子メールに設定された受信電子メール８５が存在するか否かを判断する。対象電子メールに設定された受信電子メール８５が存在すれば処理をステップＳ９９に進め、そうでなければ処理をステップＳ１００に進める。ステップＳ９９においては、返り値に対象電子メールありを設定し、処理を着信処理に戻す。ステップＳ１００においては、返り値に対象電子メールなしを設定し、処理を着信処理に戻す。
【００７９】
この呼検出時電子メール検索処理を実行することにより、所定時間内に受信した受信電子メール８５であって、閲覧された受信電子メール８５が対象電子メールとして抽出される。なお、ここでは、所定時間内に受信した受信電子メール８５であって、閲覧された受信電子メール８５を抽出するようにしたが、ステップＳ９４を実行しないようにし、閲覧されていない受信電子メール８５をすべて抽出するようにしてもよい。
【００８０】
図１９は、着信画面の一例を示す第２の図である。図１９を参照して、着信画面は、「○○△△子から着信中」の発呼側情報と、発呼側のユーザが先に送信した受信電子メール８５のサブジェクト（タイトル）と、ボディ（本文）とを含む。発呼側情報の「○○△△」には、図１７のステップＳ７２で検出した電話番号とアドレスデータ８１で関連付けられたユーザ名が表示される。また、発呼側のユーザが先に送信した受信電子メール８５のサブジェクト（タイトル）と、ボディ（本文）が表示されるため、携帯電話機１Ａのユーザは、着信画面を見れば、発呼側情報から「○○△△子」からの着信であることを通話前に知ることができ、先に受信した受信電子メール８５のタイトルおよびボディから電話の用件を通話前に知ることができる。
【００８１】
＜呼検出時電子メール抽出処理の第１の変形例＞
図２０は、呼検出時電子メール検索処理の流れの一例を示す第２のフローチャートである。図１８に示した発呼時電子メール検索処理と異なる点は、ステップＳ９５に代えて、ステップＳ９５Ａが実行される点である。他の処理は同じなので、ここでは異なる処理を説明する。図２０を参照して、ステップＳ９５Ａにおいては、処理対象の受信電子メール８５に対する返信電子メールを送信しているか否かを判断する。受信電子メール８５の受信日時より後の送信日時を含み、受信電子メール８５のコンテンツのサブジェクトと同じサブジェクトを含む送信電子メール８３が存在するか否かにより、返信電子メールを送信しているか否かを判断する。処理対象の受信電子メール８５に対する返信電子メールを送信していなければ処理をステップＳ９６に進め、返信電子メールを送信していれば処理をステップＳ９７に進める。
【００８２】
第１の変形例における呼検出時電子メール抽出処理を実行することにより、所定時間内に受信した受信電子メール８５であって、返信電子メールを送信していない受信電子メール８５が対象電子メールとして抽出される。返信電子メールを送信していなければ、発呼側のユーザが送信した処理対象の受信電子メール８５に対する回答を要求する用件で通話のために発呼する場合がある。このため、発呼側のユーザが通話の用件とする可能性の高い受信電子メール８５を抽出することができる。
【００８３】
なお、ここでは、現在時刻から所定時間内に受信した受信電子メール８５であって、返信電子メールを送信していない受信電子メール８５を抽出するようにしたが、現在時刻に最も近い最新の受信電子メール８５であって、返信電子メールを送信していない受信電子メール８５のみを抽出するようにしてもよい。
【００８４】
＜呼検出時電子メール抽出処理の第２の変形例＞
第２の変形例における呼検出時電子メール検索処理は、図９に示した発呼時電子メール検索処理と同じ処理である。この呼検出時電子メール検索処理を実行することにより、所定時間内に送信した送信電子メール８３であって、その送信電子メール８３に対する返信電子メールを受信していない送信電子メール８３が対象電子メールとして抽出される。このため、発呼側のユーザが、送信電子メール８３に対する回答を用件とする通話のために発呼する場合がある。このため、発呼側のユーザが通話の用件とする可能性の高い受信電子メール８５を抽出することができる。
【００８５】
以上説明したように、第２の実施の形態における携帯電話機１Ａは、呼の検出に応じて、発呼側の携帯電話機Ｂに割当てられた電話番号が検出され、記憶された電子メールのうちから検出された電話番号と関連付けられた電子メールアドレスを含む送信電子メール８３または受信電子メール８５が抽出され、抽出された送信電子メール８３または受信電子メール８５のコンテンツの少なくとも一部が表示される。携帯電話機１Ａのユーザは、発呼側の携帯電話機Ｂのユーザが先に送信した受信電子メール８５、または、携帯電話機１Ａのユーザが携帯電話機Ｂに先に送信した送信電子メール８３を読むことができ、通話の呼があったときに通話する前の段階で、通話の用件を知ることができる。
【００８６】
なお、上述した実施の形態においては、携帯通信端末の一例として携帯電話機１，１Ａを説明したが、携帯電話機１，１Ａの制御部２１，２１Ａに図７に示した発信処理を実行させるための発信方法または発信プログラム、または、図１２または図１７に示した着信処理を実行させるための着信方法または着信プログラムとして発明を捉えることができるのは、言うまでもない。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８８】
１，１Ａ  携帯電話機、２  表示側部、３  操作側部、１１  スピーカ、１３  マイク、１４  操作キー、２１，２１Ａ  制御部、２２  無線回路、２２Ａ  アンテナ、２３  コーデック部、２４  カメラ、２５  操作部、２６  振動部、２７  カードＩ／Ｆ、２７Ａ  フラッシュメモリ、２８  音声制御部、３０  表示制御部、５１  電話番号受付部、５３  発呼時電子メール抽出部、５５  選択部、５７  発呼部、５９  制御信号生成部、６１  電子メール管理部、６３  電子メール送信部、６５  電子メール受信部、７１，７１Ａ  着信通知部、７３  メッセージ抽出部、７５  メッセージ表示部、７７  呼検出部、８１  アドレスデータ、８３  送信電子メール、８５  受信電子メール、９１  発呼側電話番号検出部、９２  呼検出時電子メール抽出部、９３  電子メール表示部。
【図１】
0005467024.tif 000002
【図２】
0005467024.tif 000003
【図３】
0005467024.tif 000004
【図４】
0005467024.tif 000005
【図５】
0005467024.tif 000006
【図６】
0005467024.tif 000007
【図７】
0005467024.tif 000008
【図８】
0005467024.tif 000009
【図９】
0005467024.tif 000010
【図１０】
0005467024.tif 000011
【図１１】
0005467024.tif 000012
【図１２】
0005467024.tif 000013
【図１３】
0005467024.tif 000014
【図１４】
0005467024.tif 000015
【図１５】
0005467024.tif 000016
【図１６】
0005467024.tif 000017
【図１７】
0005467024.tif 000018
【図１８】
0005467024.tif 000019
【図１９】
0005467024.tif 000020
【図２０】
0005467024.tif 000021